(57)【要約】【課題】ネットワークの切替によるセッション断に対するセッション再開の契機を適切に提供することに寄与することを図る。【解決手段】ＷＡＮ側のネットワークインタフェースＩＦａ，ＩＦｂの切替の発生の通知を要求するＮＷ切替通知要求メッセージＳ１２を作成する信号生成部を備え、ネットワークインタフェースＩＦａ，ＩＦｂの切替の発生を通知するネットワーク切替情報通知装置（モバイルルータ５）に対してＮＷ切替通知要求メッセージＳ１２を送信させる。【選択図】図１
2014168130.tif 000002
【特許請求の範囲】
【請求項１】
第１のネットワークインタフェースと、前記第１のネットワークインタフェースとの間でＩＰパケットを入出力する複数の第２のネットワークインタフェースとを有するネットワーク切替情報通知装置に接続するネットワーク切替情報要求装置であり、
前記第２のネットワークインタフェースの切替の発生の通知を要求するネットワーク切替通知要求メッセージを作成する信号生成部を備え、
前記第２のネットワークインタフェースの切替の発生を通知するネットワーク切替情報通知装置に対して前記ネットワーク切替通知要求メッセージを送信させる、
ことを特徴とするネットワーク切替情報要求装置。
【請求項２】
前記ネットワーク切替通知要求メッセージは、前記ネットワーク切替通知要求メッセージの宛先に使用される前記ネットワーク切替情報要求装置のＩＰアドレス、又は、前記ネットワーク切替情報要求装置のＩＰアドレスおよびポート番号を有することを特徴とする請求項１に記載のネットワーク切替情報要求装置。
【請求項３】
前記ネットワーク切替通知要求メッセージは、前記ネットワーク切替情報要求装置におけるＴＣＰのＳＹＮパケットの検知により送信すべきＴＣＰパケットの送信元ＩＰアドレスと送信元ポート番号を有することを特徴とする請求項２に記載のネットワーク切替情報要求装置。
【請求項４】
前記ネットワーク切替通知要求メッセージは、前記ネットワーク切替情報要求装置のアプリケーションから送信されるパケットの送信元ＩＰアドレスと送信元ポート番号を有することを特徴とする請求項２に記載のネットワーク切替情報要求装置。
【請求項５】
前記ネットワーク切替通知要求メッセージの宛先として、DHCP offerの送信元ＩＰアドレス、DHCP offerのオプションに記載されるＩＰアドレス、DHCP Ackに記載されたIPアドレス、又は、マルチキャストＩＰアドレスを使用することを特徴とする請求項１から４のいずれか１項に記載のネットワーク切替情報要求装置。
【請求項６】
前記ネットワーク切替通知要求メッセージを受信できることを示す情報を前記ネットワーク切替情報通知装置から受信した場合にのみ、前記ネットワーク切替情報通知装置に対して前記ネットワーク切替通知要求メッセージを送信することを特徴とする請求項１から５のいずれか１項に記載のネットワーク切替情報要求装置。
【請求項７】
ネットワーク切替情報要求装置に接続する第１のネットワークインタフェースと、前記第１のネットワークインタフェースとの間でＩＰパケットを入出力する複数の第２のネットワークインタフェースとを有するネットワーク切替情報通知装置であり、
各ネットワークインタフェースに入出力するＩＰパケットを解析し、解析したＩＰパケットに関する前記ネットワーク切替情報要求装置に対応するＩＰアドレスを示すパケット解析情報を出力する解析部と、
前記ネットワーク切替情報要求装置から受信したネットワーク切替通知要求メッセージに含まれる要求ＩＰアドレスを出力する信号解析部と、
前記パケット解析情報および前記要求ＩＰアドレスを記録し、ネットワーク切替情報が入力されると、前記記録から、前記要求ＩＰアドレスに一致する前記ネットワーク切替情報要求装置に対応するＩＰアドレスを取得して出力する管理部と、
前記管理部から出力されたＩＰアドレスを宛先とするネットワーク切替通知メッセージを作成する作成部と、を備え、
前記ネットワーク切替通知メッセージを前記第１のネットワークインタフェースから送信させる、
ことを特徴とするネットワーク切替情報通知装置。
【請求項８】
前記ネットワーク切替通知要求メッセージを受信できることを示す情報を前記ネットワーク切替情報要求装置に対して送信することを特徴とする請求項７に記載のネットワーク切替情報通知装置。
【請求項９】
第１のネットワークインタフェースと、前記第１のネットワークインタフェースとの間でＩＰパケットを入出力する複数の第２のネットワークインタフェースとを有するネットワーク切替情報通知装置に接続するネットワーク切替情報要求装置におけるネットワーク切替情報要求処理を行うためのコンピュータプログラムであって、
前記第２のネットワークインタフェースの切替の発生の通知を要求するネットワーク切替通知要求メッセージを作成する信号生成ステップと、
前記第２のネットワークインタフェースの切替の発生を通知するネットワーク切替情報通知装置に対して前記ネットワーク切替通知要求メッセージを送信させる送信ステップと、
をコンピュータに実行させるためのコンピュータプログラム。
【請求項１０】
ネットワーク切替情報要求装置に接続する第１のネットワークインタフェースと、前記第１のネットワークインタフェースとの間でＩＰパケットを入出力する複数の第２のネットワークインタフェースとを有するネットワーク切替情報通知装置におけるネットワーク切替情報通知処理を行うためのコンピュータプログラムであって、
各ネットワークインタフェースに入出力するＩＰパケットを解析し、解析したＩＰパケットに関する前記ネットワーク切替情報要求装置に対応するＩＰアドレスを示すパケット解析情報を出力する解析ステップと、
前記ネットワーク切替情報要求装置から受信したネットワーク切替通知要求メッセージに含まれる要求ＩＰアドレスを出力する信号解析ステップと、
前記パケット解析情報および前記要求ＩＰアドレスを記録し、ネットワーク切替情報が入力されると、前記記録から、前記要求ＩＰアドレスに一致する前記ネットワーク切替情報要求装置に対応するＩＰアドレスを取得して出力する管理ステップと、
前記管理ステップから出力されたＩＰアドレスを宛先とするネットワーク切替通知メッセージを作成する作成ステップと、
前記ネットワーク切替通知メッセージを前記第１のネットワークインタフェースから送信させる送信ステップと、
をコンピュータに実行させるためのコンピュータプログラム。
【発明の詳細な説明】
【技術分野】
【０００１】
本発明は、ネットワーク切替情報要求装置、ネットワーク切替情報通知装置およびコンピュータプログラムに関する。
【背景技術】
【０００２】
従来、図３に示されるモバイルルータ１００が知られている。モバイルルータ１００は、ＷＡＮ（Wide Area Network）側のネットワークインタフェースＩＦａ，ＩＦｂとＬＡＮ（Local Area Network）側のネットワークインタフェースＩＦｃを有し、ＷＡＮとＬＡＮの間のルーティングを行う。図３の例では、ＷＡＮ側において、ネットワークインタフェースＩＦａはＬＴＥ網の基地局２０１と接続可能であり、ネットワークインタフェースＩＦｂはＷｉＭＡＸ網の基地局２０２と接続可能である。一方、ＬＡＮ側において、ネットワークインタフェースＩＦｃは端末３００と接続可能である。ネットワークインタフェースＩＦｃとしては、例えば、ＷｉＦｉなどの無線ＬＡＮが知られている。
【０００３】
図３において、モバイルルータ１００は、ＷＡＮ側のネットワーク状態に応じて、自動的に、接続するＷＡＮを切り替える機能を有する。例えば、ＬＴＥ網の基地局２０１と接続している場合において基地局２０１間の通信断の発生時や品質測定結果が悪い時に、ＷｉＭＡＸ網の基地局２０２へ自動的に接続を切り替える。すると、モバイルルータ１００のＷＡＮ側ではネットワークインタフェースＩＦａ（ＩＰアドレスＡ）からネットワークインタフェースＩＦｂ（ＩＰアドレスＢ）に、使用するネットワークインタフェースが切り替わるので、ＩＰアドレスの変更が発生する。
【０００４】
上記したモバイルルータ１００におけるＷＡＮ側のＩＰアドレスの変更が発生すると、端末３００が通信中のセッションは継続できなくなりセッション断が発生する（例えば、非特許文献１参照）。非特許文献１では、ネットワーク上にホームエージェント装置（Home Agent）を設け、ネットワークの切替が発生しても、モバイルＩＰによりＩＰアドレスを変更しない仕組みを提案している。
【先行技術文献】
【非特許文献】
【０００５】
【非特許文献１】福山陽祐，鈴木秀和，渡邊晃，“IPv4 移動体通信において携帯電話網と無線LAN間をシームレスに移動する方式の提案”，マルチメディア，分散，協調とモバイル（DICOMO2011）シンポジウム論文集，Vol.2011，No.1，pp.1115-1120，Jul.2011．
【発明の概要】
【発明が解決しようとする課題】
【０００６】
上述したモバイルルータにおけるＷＡＮ側のネットワークの切替が発生した場合、一般には端末のセッション断が発生するが、その端末のセッション再開までには、端末の通信要求のタイムアウトまで待たなければならない。このため、端末に対してＷＡＮ側のネットワークの切替が発生したことを通知することにより、端末においてセッション再開の契機となり迅速にセッションの再開動作を実施できる、ことが考えられる。
【０００７】
しかしながら、端末が利用するアプリケーションやセッションによっては、ＩＰアドレスが変わってもセッション断に至らず、セッションの再開動作を行わなくてもよい場合がある。このため、ＷＡＮ側のネットワークの切替が発生するごとに、無線回線により端末へネットワークの切替の発生を通知すると、無駄な通知となる場合があり無線リソースの利用効率が悪くなる。
【０００８】
本発明は、このような事情を考慮してなされたもので、ネットワークの切替によるセッション断に対するセッション再開の契機を適切に提供することに寄与できる、ネットワーク切替情報要求装置、ネットワーク切替情報通知装置およびコンピュータプログラムを提供することを課題とする。
【課題を解決するための手段】
【０００９】
上記の課題を解決するために、本発明に係るネットワーク切替情報要求装置は、第１のネットワークインタフェースと、前記第１のネットワークインタフェースとの間でＩＰパケットを入出力する複数の第２のネットワークインタフェースとを有するネットワーク切替情報通知装置に接続するネットワーク切替情報要求装置であり、前記第２のネットワークインタフェースの切替の発生の通知を要求するネットワーク切替通知要求メッセージを作成する信号生成部を備え、前記第２のネットワークインタフェースの切替の発生を通知するネットワーク切替情報通知装置に対して前記ネットワーク切替通知要求メッセージを送信させる、ことを特徴とする。
【００１０】
本発明に係るネットワーク切替情報要求装置において、前記ネットワーク切替通知要求メッセージは、前記ネットワーク切替通知要求メッセージの宛先に使用される前記ネットワーク切替情報要求装置のＩＰアドレス、又は、前記ネットワーク切替情報要求装置のＩＰアドレスおよびポート番号を有することを特徴とする。
【００１１】
本発明に係るネットワーク切替情報要求装置において、前記ネットワーク切替通知要求メッセージは、前記ネットワーク切替情報要求装置におけるＴＣＰのＳＹＮパケットの検知により送信すべきＴＣＰパケットの送信元ＩＰアドレスと送信元ポート番号を有することを特徴とする。
【００１２】
本発明に係るネットワーク切替情報要求装置において、前記ネットワーク切替通知要求メッセージは、前記ネットワーク切替情報要求装置のアプリケーションから送信されるパケットの送信元ＩＰアドレスと送信元ポート番号を有することを特徴とする。
【００１３】
本発明に係るネットワーク切替情報要求装置においては、前記ネットワーク切替通知要求メッセージの宛先として、DHCP offerの送信元ＩＰアドレス、DHCP offerのオプションに記載されるＩＰアドレス、DHCP Ackに記載されたIPアドレス、又は、マルチキャストＩＰアドレスを使用することを特徴とする。
【００１４】
本発明に係るネットワーク切替情報要求装置においては、前記ネットワーク切替通知要求メッセージを受信できることを示す情報を前記ネットワーク切替情報通知装置から受信した場合にのみ、前記ネットワーク切替情報通知装置に対して前記ネットワーク切替通知要求メッセージを送信することを特徴とする。
【００１５】
本発明に係るネットワーク切替情報通知装置は、ネットワーク切替情報要求装置に接続する第１のネットワークインタフェースと、前記第１のネットワークインタフェースとの間でＩＰパケットを入出力する複数の第２のネットワークインタフェースとを有するネットワーク切替情報通知装置であり、各ネットワークインタフェースに入出力するＩＰパケットを解析し、解析したＩＰパケットに関する前記ネットワーク切替情報要求装置に対応するＩＰアドレスを示すパケット解析情報を出力する解析部と、前記ネットワーク切替情報要求装置から受信したネットワーク切替通知要求メッセージに含まれる要求ＩＰアドレスを出力する信号解析部と、前記パケット解析情報および前記要求ＩＰアドレスを記録し、ネットワーク切替情報が入力されると、前記記録から、前記要求ＩＰアドレスに一致する前記ネットワーク切替情報要求装置に対応するＩＰアドレスを取得して出力する管理部と、前記管理部から出力されたＩＰアドレスを宛先とするネットワーク切替通知メッセージを作成する作成部と、を備え、前記ネットワーク切替通知メッセージを前記第１のネットワークインタフェースから送信させる、ことを特徴とする。
【００１６】
本発明に係るネットワーク切替情報通知装置においては、前記ネットワーク切替通知要求メッセージを受信できることを示す情報を前記ネットワーク切替情報要求装置に対して送信することを特徴とする。
【００１７】
本発明に係るコンピュータプログラムは、第１のネットワークインタフェースと、前記第１のネットワークインタフェースとの間でＩＰパケットを入出力する複数の第２のネットワークインタフェースとを有するネットワーク切替情報通知装置に接続するネットワーク切替情報要求装置におけるネットワーク切替情報要求処理を行うためのコンピュータプログラムであって、前記第２のネットワークインタフェースの切替の発生の通知を要求するネットワーク切替通知要求メッセージを作成する信号生成ステップと、前記第２のネットワークインタフェースの切替の発生を通知するネットワーク切替情報通知装置に対して前記ネットワーク切替通知要求メッセージを送信させる送信ステップと、をコンピュータに実行させるためのコンピュータプログラムであることを特徴とする。
【００１８】
本発明に係るコンピュータプログラムは、ネットワーク切替情報要求装置に接続する第１のネットワークインタフェースと、前記第１のネットワークインタフェースとの間でＩＰパケットを入出力する複数の第２のネットワークインタフェースとを有するネットワーク切替情報通知装置におけるネットワーク切替情報通知処理を行うためのコンピュータプログラムであって、各ネットワークインタフェースに入出力するＩＰパケットを解析し、解析したＩＰパケットに関する前記ネットワーク切替情報要求装置に対応するＩＰアドレスを示すパケット解析情報を出力する解析ステップと、前記ネットワーク切替情報要求装置から受信したネットワーク切替通知要求メッセージに含まれる要求ＩＰアドレスを出力する信号解析ステップと、前記パケット解析情報および前記要求ＩＰアドレスを記録し、ネットワーク切替情報が入力されると、前記記録から、前記要求ＩＰアドレスに一致する前記ネットワーク切替情報要求装置に対応するＩＰアドレスを取得して出力する管理ステップと、前記管理ステップから出力されたＩＰアドレスを宛先とするネットワーク切替通知メッセージを作成する作成ステップと、前記ネットワーク切替通知メッセージを前記第１のネットワークインタフェースから送信させる送信ステップと、をコンピュータに実行させるためのコンピュータプログラムであることを特徴とする。
【発明の効果】
【００１９】
本発明によれば、ネットワークの切替によるセッション断に対するセッション再開の契機を適切に提供することに寄与できるという効果が得られる。
【図面の簡単な説明】
【００２０】
【図１】本発明の一実施形態に係る端末１およびモバイルルータ５の構成を示すブロック図である。
【図２】本発明の一実施形態に係る通信ネットワークシステムの構成例を示す説明図である。
【図３】従来の通信ネットワークシステムの構成例を示す説明図である。
【発明を実施するための形態】
【００２１】
以下、図面を参照し、本発明の実施形態について説明する。
図１は、本発明の一実施形態に係る端末１およびモバイルルータ５の構成を示すブロック図である。図２は同実施形態に係る通信ネットワークシステムの構成例を示す説明図である。なお、図１に示す端末１の構成については、本発明に係るネットワーク切替情報要求装置に対応する部分のみを示している。以下、図１および図２を参照して本実施形態を説明する。
【００２２】
図２において、モバイルルータ５は、ＷＡＮ側のネットワークインタフェースＩＦａ，ＩＦｂとＬＡＮ側のネットワークインタフェースＩＦｃを有し、ＷＡＮとＬＡＮの間のルーティングを行う。モバイルルータ５は、ＷＡＮ側のネットワーク状態に応じて、自動的に、接続するＷＡＮを切り替える機能を有する。例えば、ＬＴＥ網の基地局２０１と接続している場合において基地局２０１間の通信断の発生時や品質測定結果が悪い時に、ＷｉＭＡＸ網の基地局２０２へ自動的に接続を切り替える。これにより、モバイルルータ５のＷＡＮ側ではネットワークインタフェースＩＦａ（ＩＰアドレスＡ）からネットワークインタフェースＩＦｂ（ＩＰアドレスＢ）に、使用するネットワークインタフェースが切り替わるので、ＩＰアドレスの変更が発生することになる。この点は、図３に示す従来のモバイルルータ１００と同様である。
【００２３】
図１において、端末１は要求部２と信号生成部３とネットワークインタフェースＩＦｍ（ＩＰアドレスＤ）を有する。モバイルルータ５は、ルーティング部１０と解析部１１と管理部１２と作成部１３と信号解析部１４とネットワークインタフェースＩＦａ（ＩＰアドレスＡ），ＩＦｂ（ＩＰアドレスＢ），ＩＦｃ（ＩＰアドレスＣ）を有する。ネットワークインタフェースＩＦａ，ＩＦｂはＷＡＮ側のネットワークインタフェースであり、ネットワークインタフェースＩＦｃ，ＩＦｍはＬＡＮ側のネットワークインタフェースである。
【００２４】
まず端末１について説明する。要求部２は、要求情報Ｓ１１を信号生成部３に出力する。要求情報Ｓ１１は、ＮＷ切替通知メッセージを要求するＩＰアドレスおよびポート番号の組を示す。本実施形態では、ＩＰアドレスはネットワークインタフェースＩＦｍのＩＰアドレスＤである。ＮＷ切替通知メッセージは、ＷＡＮ側のネットワークの切替が発生したことを通知するメッセージである。以下に、要求情報Ｓ１１の作成例を挙げる。
【００２５】
（要求情報の作成例１）
要求部２は、ＴＣＰのＳＹＮパケットを検知したことを示す検知情報が入力されると、送信すべきＴＣＰパケットの送信元ＩＰアドレス（ＩＰアドレスＤ）と送信元ポート番号を要求情報Ｓ１１として出力する。
【００２６】
（要求情報の作成例２）
要求部２は、ＷＡＮ側のネットワークの切替によりセッション断が発生するアプリケーションの起動を示す検知情報が入力されると、該アプリケーションから送信されるパケットの送信元ＩＰアドレス（ＩＰアドレスＤ）と送信元ポート番号を要求情報Ｓ１１として出力する。
【００２７】
（要求情報の作成例３）
要求部２は、端末１に対するＩＰアドレスＤが割り当てられたことを示す検知情報（例えば、DHCP offerの検知情報（DHCP request送信時、DHCP ACK検知時））が入力されると、端末１から送信されるパケットの送信元ＩＰアドレス（ＩＰアドレスＤ）を要求情報Ｓ１１として出力する。この場合は、端末１には必ず、ＮＷ切替通知メッセージが送られることになる。従って、端末単位での、ＮＷ切替通知メッセージの要求の切替となる。
【００２８】
信号生成部３は、要求情報Ｓ１１を受信すると、ＮＷ切替通知要求メッセージＳ１２を生成する。ＮＷ切替通知要求メッセージＳ１２は所定のフォーマットを有する。ＮＷ切替通知要求メッセージＳ１２には、要求情報Ｓ１１（送信元ＩＰアドレス、送信元ポート番号）が格納される。信号生成部３は、生成したＮＷ切替通知要求メッセージＳ１２をネットワークインタフェースＩＦｍに出力する。これにより、ＮＷ切替通知要求メッセージＳ１２は、ネットワークインタフェースＩＦｍを介してモバイルルータ５のネットワークインタフェースＩＦｃで受信される。
【００２９】
なお、ＮＷ切替通知要求メッセージＳ１２の宛先情報は、予め取得される。例えば、端末１がモバイルルータ５と接続した時点でモバイルルータ５から通知される。又は、端末１に対して予め固定的に設定される。又は、以下のＩＰアドレスを利用可能である。
・DHCP offerの送信元ＩＰアドレス（DHCPサーバのIPアドレス）
・DHCP offerのオプションに記載されるＩＰアドレス
・DHCP Ackに記載されたIPアドレス
・マルチキャストＩＰアドレス
【００３０】
次に、モバイルルータ５について説明する。信号解析部１４は、ネットワークインタフェースＩＦｃで受信されたＮＷ切替通知要求メッセージＳ１２を、ネットワークインタフェースＩＦｃから受け取る。信号解析部１４は、所定のフォーマットに従って、ＮＷ切替通知要求メッセージＳ１２から要求情報Ｓ１１（送信元ＩＰアドレス、送信元ポート番号）を取得する。信号解析部１４は、取得した要求情報Ｓ１１を管理部１２へ出力する。
【００３１】
ルーティング部１０は、ＩＰパケット（以下、パケットと称する）のルーティングを行う。
【００３２】
解析部１１は、ルーティング部１０とネットワークインタフェースＩＦａ間を流れるパケットと、ルーティング部１０とネットワークインタフェースＩＦｂ間を流れるパケットとをキャプチャする。そして、解析部１１は、キャプチャしたパケットのヘッダ情報を解析し、解析結果であるパケット解析情報Ｓ１を管理部１２へ出力する。
【００３３】
ＬＡＮ側（端末）からＷＡＮ側（端末の通信相手であるサーバ）へのパケットに関するパケット解析情報Ｓ１には、送信元のＩＰアドレス、送信元のポート番号、及び、当該パケットが使用するネットワークインタフェース（ＬＡＮ側およびＷＡＮ側）の識別情報を含める。ＷＡＮ側（端末の通信相手であるサーバ）からＬＡＮ側（端末）へのパケットに関するパケット解析情報Ｓ１には、送信先のＩＰアドレス、送信先のポート番号、及び、当該パケットが使用するネットワークインタフェース（ＬＡＮ側およびＷＡＮ側）の識別情報を含める。
【００３４】
管理部１２は、解析部１１から受信したパケット解析情報Ｓ１に基づいて、端末１（ＩＰアドレス）ごと且つセッション（ポート番号）ごとに、使用するネットワークインタフェースを記録する。例えば、管理テーブルを設け、管理テーブルにパケット解析情報Ｓ１中の情報を整理し記録する。
【００３５】
また、管理部１２は、信号解析部１４から受信した要求情報Ｓ１１（送信元ＩＰアドレス、送信元ポート番号）を記録する。例えば、要求管理テーブルを設け、要求管理テーブルに要求情報Ｓ１１中の情報を整理し記録する。要求情報Ｓ１１中の情報は、送信元ＩＰアドレスと送信元ポート番号の組、又は、送信元ＩＰアドレスである。
【００３６】
また、管理部１２には、ネットワーク切替情報（ＮＷ切替情報）が入力される。ＮＷ切替情報は、モバイルルータ５が接続するＷＡＮの切替が発生したことを通知する情報である。具体的には、ＮＷ切替情報は、図２において、ＬＴＥ網の基地局２０１とＷｉＭＡＸ網の基地局２０２の間で、モバイルルータ５が接続する基地局の切替が発生したことを通知する情報である。又は、ＮＷ切替情報は、セッションが切れたことを通知する情報である。ＮＷ切替情報は、管理部１２に対して、各ＷＡＮの品質を測定し良好なＷＡＮを選択する装置、又は、通信断が発生し再接続を行う装置などから通知される。
【００３７】
管理部１２は、ＮＷ切替情報を受信すると、作成部１３に対してＮＷ切替通知宛先情報Ｓ２を出力する。ＮＷ切替通知宛先情報Ｓ２は、ＮＷ切替通知メッセージを送信する宛先の情報であって、ＮＷ切替情報で通知された切替の発生したＷＡＮのネットワークインタフェースを使用する端末１（ＩＰアドレス）とセッション（ポート番号）の組を示す。
【００３８】
管理部１２は、パケット解析情報Ｓ１の記録（例えば管理テーブル）に基づいて、切替が発生したＷＡＮのネットワークインタフェースを使用する端末１（ＩＰアドレス）とセッション（ポート番号）の組を調べる。次いで、管理部１２は、その調査結果（ＩＰアドレス、ポート番号）に一致する情報が、要求情報Ｓ１１の記録（例えば要求管理テーブル）の中に有るかを調べる。管理部１２は、要求情報Ｓ１１の記録から発見された、送信元ＩＰアドレスと送信元ポート番号の組、又は、送信元ＩＰアドレスを、ＮＷ切替通知宛先情報Ｓ２として出力する。
【００３９】
作成部１３は、ＮＷ切替通知メッセージＳ３を作成する。ＮＷ切替通知メッセージＳ３は、ＮＷ切替通知宛先情報Ｓ２で示される宛先（ＩＰアドレス、又は、ＩＰアドレスとポート番号の組）に対して、ＷＡＮの切替が発生したことを通知するためのメッセージである。
【００４０】
作成部１３は、ＮＷ切替通知メッセージＳ３をネットワークインタフェースＩＦｃへ出力する。これにより、ＮＷ切替通知メッセージＳ３は、ネットワークインタフェースＩＦｃを介して、宛先の端末１へ送信される。
【００４１】
上述した実施形態によれば、端末１からの要求情報Ｓ１１に基づいてＮＷ切替通知メッセージＳ３の宛先が決定されるので、端末１においてＮＷ切替通知メッセージＳ３が必要なセッションに対してのみ、ＮＷ切替通知メッセージＳ３が送信される。これにより、ネットワークの切替によるセッション断に対するセッション再開の契機を適切に提供することに寄与できる。
【００４２】
なお、上記したように作成部１３がＮＷ切替通知メッセージＳ３をプッシュ型情報配信するのではなく、宛先の端末１からの何らかのアクセスが有った時にＮＷ切替通知メッセージＳ３を返信してもよい（プル型情報配信）。但し、より即時性を望む場合には、作成部１３がＮＷ切替通知メッセージＳ３をプッシュ型情報配信することが好ましい。
【００４３】
また、モバイルルータ５がＷＡＮ側のグローバルＩＰアドレスと、ＬＡＮ側のローカルＩＰアドレスとの変換を行う場合には、解析部１１に対して、該ＩＰアドレス変換の情報に基づいて端末１に対応するＩＰアドレスを取得する機能を追加する。
【００４４】
以上、本発明の実施形態について図面を参照して詳述してきたが、具体的な構成はこの実施形態に限られるものではなく、本発明の要旨を逸脱しない範囲の設計変更等も含まれる。
【００４５】
例えば、モバイルルータ５から端末１に対して、予め、ＮＷ切替通知要求メッセージＳ１２を受信できることを示す情報を送信するようにしてもよい。例えば、モバイルルータ５は、ＮＷ切替通知要求メッセージＳ１２を受信できることを示す要求受信可能フラグをマルチキャスト送信する。要求受信可能フラグとしては、例えば、無線ＬＡＮのＷｉＦｉのアクセスポイントが送信するビーコンに追加する方法、ＬＴＥにおけるＭＢＭＳなどのマルチキャストによる送信方法、DHCP offerに追加する方法などが挙げられる。端末１は、要求受信可能フラグを受信した場合にのみ、当該モバイルルータ５に対してＮＷ切替通知要求メッセージＳ１２を送信する。これにより、モバイルルータには様々な種類があってその中にはＮＷ切替通知要求メッセージＳ１２を受信できないものが有る場合に、端末１が無駄にＮＷ切替通知要求メッセージＳ１２を送信することを防止できる。
【００４６】
なお、上述した実施形態では、切替の発生したＷＡＮのネットワークインタフェースを使用する端末をＮＷ切替通知メッセージの宛先の候補としたが、モバイルルータ５に接続する全端末をＮＷ切替通知メッセージの宛先の候補としてもよい。この場合には、パケット解析情報は、少なくとも、端末に対応するＩＰアドレスを示すものであればよい。そして、管理部１２は、ＮＷ切替通知宛先情報Ｓ２として、パケット解析情報の記録に含まれる端末に対応するＩＰアドレスであって要求情報の記録に含まれる送信元ＩＰアドレスを出力する。
【００４７】
また、上述した実施形態では、ネットワーク切替装置の一例としてモバイルルータを挙げたが、本発明はモバイルルータに限定されず、様々なネットワーク切替装置に適用可能である。
【００４８】
また、図１に示す各部の機能を実現するためのプログラムをコンピュータ読み取り可能な記録媒体に記録して、この記録媒体に記録されたプログラムをコンピュータシステムに読み込ませ、実行することにより、ネットワーク切替情報要求処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５０】
１…端末（ネットワーク切替情報要求装置）、２…要求部、３…信号生成部、５…モバイルルータ（ネットワーク切替情報通知装置）、１０…ルーティング部、１１…解析部、１２…管理部、１３…作成部、１４…信号解析部、ＩＦａ，ＩＦｂ，ＩＦｃ，ＩＦｍ…ネットワークインタフェース
【図１】
2014168130.tif 000003
【図２】
2014168130.tif 000004
【図３】
2014168130.tif 000005